(57)【要約】【課題】夏に葉が生い茂り、冬に落葉する落葉樹の特性を利用することにより、自然エネルギーをより有効に活用することのできる住宅を提供する。【解決手段】本発明の住宅１０は、複数階の住宅建物１２の通風採光窓１３を備える南側の外壁１４に面した外庭１５に落葉樹１１を植設すると共に、住宅建物１２の上下階を仕切る床部１６に通風口１７が設けられている。住宅建物１２の南側の外壁１４に面した外庭１５が法面１８を介して半階分高くなった部分１９を有していることにより、住宅建物１２の１階部分１２ａが半地下空間として配置されている。【選択図】図１
2008208666.tif 000002
【特許請求の範囲】
【請求項１】
複数階の住宅建物の通風採光窓を備える南側の外壁に面した外庭に落葉樹を植設すると共に、住宅建物の上下階を仕切る床部に通風口を設けたことを特徴とする住宅。
【請求項２】
前記南側の外壁に面した外庭が法面を介して半階分高くなった部分を有していることにより、前記住宅建物の１階部分が半地下空間として配置される請求項１に記載の住宅。
【発明の詳細な説明】
【技術分野】
【０００１】
本発明は、住宅に関し、特に、樹木の存在を利用した住宅に関する。
【背景技術】
【０００２】
近年、屋内の温度を冷暖房によって所望の温度にして夏や冬でも快適に過ごすことができるように、断熱・気密性の向上が図られた住宅が種々提案されている一方で、地球温暖化が叫ばれている中、茅葺屋根住宅に代表される従来の伝統民家の如く、自然エネルギーを活用した住宅も見直されてきている（例えば、特許文献１参照）。
【特許文献１】特開２００４−２８５７０５号公報
【発明の開示】
【発明が解決しようとする課題】
【０００３】
一方、樹木は、蒸散作用によって涼しさを作り出す機能を備えることが知られているが、特に夏に葉が生い茂り、冬に落葉する落葉樹の特性を利用することにより、自然エネルギーをより有効に活用することができるものと考えられる。
【０００４】
本発明は、夏に葉が生い茂り、冬に落葉する落葉樹の特性を利用することにより、自然エネルギーをより有効に活用することのできる好環境の住宅を提供することを目的とする。
【課題を解決するための手段】
【０００５】
本発明は、複数階の住宅建物の通風採光窓を備える南側の外壁に面した外庭に落葉樹を植設すると共に、住宅建物の上下階を仕切る床部に通風口を設けたことを特徴とする住宅を提供することを目的とする。
【０００６】
また、本発明の住宅では、前記南側の外壁に面した外庭が法面を介して半階分高くなった部分を有していることにより、前記住宅建物の１階部分が半地下空間として配置されることが好ましい。
【発明の効果】
【０００７】
本発明の住宅によれば、夏に葉が生い茂り、冬に落葉する落葉樹の特性を利用することにより、自然エネルギーをより有効に活用することができる。
【発明を実施するための最良の形態】
【０００８】
図１（ａ），（ｂ）に示す本発明の好ましい一実施形態に係る住宅１０は、夏に葉が生い茂り、冬に落葉する落葉樹１１の特性を利用して、自然エネルギーをより有効に活用できるようにするものであり、複数階（本実施形態では２階）の住宅建物１２の通風採光窓１３を備える南側の外壁１４に面した外庭１５に落葉樹１１を植設すると共に、住宅建物１２の上下階を仕切る床部１６に通風口１７を設けたものである。
【０００９】
また、本実施形態では、南側の外壁１４に面した外庭１５が法面１８を介して半階分高くなった部分１９を有していることにより、住宅建物１２の１階部分１２ａが半地下空間として配置されている。
【００１０】
本実施形態では、住宅建物１２は、例えば木造２階建ての住宅建築物であって、住宅建物１２の南側の部分には、例えば１階部分１２ａにベッドルーム２０が、２階部分１２ｂにリビングルーム２１が設けられている。また、１階部分１２ａのベッドルーム２０と２階部分１２ｂのリビングルーム２１を屋外から仕切る南側の外壁１４には、通風や採光を効果的に図るための、開口面積の大きな通風採光窓１３が各々開閉可能に設けられている。さらに、本実施形態では、１階部分１２ａのベッドルーム２０と、２階部分１２ｂのリビングルーム２１との間を仕切る床部１６には、例えば網目部材によって覆われた通風口１７が、開閉可能に設けられており、この通風口１７を介して１階部分１２ａと２階部分１２ｂとにつながりを持たせて、空気の循環が効果的に行われるようになっている。
【００１１】
また、本実施形態では、住宅建物１０の南側の外壁１４に面した外庭１５には、落葉樹１１が植設されており、植設する落葉樹としては、ケヤキ、モミジ、イチョウ等を用いることができる。落葉樹１１は、２階の通風採光窓１３よりも高い高さで植設することが好ましく、また、南側の外壁１４から４〜７ｍ程度離間させて植設することが好ましい。
【００１２】
さらに、本実施形態では、住宅建物１２の南側の外壁１４に面した外庭１５は、法面１８を介在させて、１階部分１２ａの周辺の地盤から半階分の高さとして、例えば２〜３ｍ程度高くなった部分１９を有しており、これによって、住宅建物１０の１階部分１２ａは、当該半階分高くなった部分１９からみて、半地下空間として配置されることになる。
【００１３】
そして、上述の構成を備える本実施形態の住宅１０では、太陽の位置が低い冬季においては、図１（ａ）に示すように、落葉樹１１が落葉して枝だけの状態になっているので、太陽光は、木の葉によって遮られることなく、通風採光窓１３を介して２階部分１２ｂのリビングルーム２１のみならず１階部分１２ａのベッドルーム２０にも効果的に差し込んで、これらの部屋を暖かい居住空間にすると共に、通風採光窓１３から取り込まれた通風を、通風口１７を介して１階部分１２ａのベッドルーム２０と２階部分１２ｂのリビングルーム２１との間で循環させて、自然エネルギーを活用しつつ、環境に優しく省エネ化された住宅１０を、効率良く形成することが可能になる。
【００１４】
一方、太陽の位置が高い夏季においては、図１（ｂ）に示すように、落葉樹１１は木の葉が密に生い茂った状態になっているので、太陽光の入光を効果的に遮って日陰を形成すると共に、生い茂った木の葉の蒸散作用によって、落葉樹１１を通過して例えば１階部分１２ａの通風採光窓１３に向かう通気が涼しい空気となり、通風採光窓１３から取り込まれた涼しい空気によって、半地下空間を形成する１階部分１２ａのベッドルーム２０は、涼しい空間となる。また、１階部分１２ａのベッドルーム２０に取り込まれた涼しい空気は、通風口１７を介して２階部分１２ｂのリビングルーム２１に送り込まれることにより、２階部分１２ｂのリビングルーム２１もまた涼しい空間とすることができる。これらによって、自然エネルギーを活用しつつ、環境に優しく省エネ化された住宅１０を、効率良く形成することが可能になる。
【００１５】
すなわち、本実施形態の住宅１０によれば、夏に葉が生い茂り、冬に落葉する落葉樹の特性を利用することにより、自然エネルギーをより有効に活用することが可能になる。
【００１６】
なお、本発明は上記実施形態に限定されることなく種々の変更が可能である。例えば、南側の外壁に面した外庭に半階分高くなった部分を設けて住宅建物の１階部分を半地下空間とする必要は必ずしもなく、また住宅建物は３階建て以上の建物であっても良い。
【図面の簡単な説明】
【００１７】
【図１】（ａ）は本発明の好ましい一実施形態に係る住宅建物の冬季の状態を説明する要部略示断面図、（ｂ）は夏季の状態を説明する要部略示断面図である。
【符号の説明】
【００１８】
１０  住宅
１１  落葉樹
１２  住宅建物
１２ａ  住宅建物の１階部分
１２ｂ  住宅建物の２階部分
１３  通風採光窓
１４  南側の外壁
１５  外庭
１６  床部
１７  通風口
１８  法面
１９  外庭の半階分高くなった部分
２０  ベッドルーム
２１  リビングルーム
【図１】
2008208666.tif 000003